(57)【要約】      （修正有）【課題】水タンク内の加熱部材により、水を沸騰させる事が出き、水の量もカップ一杯分の水量で済み、水の無駄も無いコーヒーメーカーを提供する。【解決手段】水タンク内加熱部材６で、水を沸騰させ、水タンク５．ドリッパー１０．カップ１８は結合されているため、水が沸騰したら、水タンク５を上方にカップを台座１の上に、倒置して配置すれば水タンク５の湯が落下するので、湯を、ドリップー１０内に、わざわざ入れる必要もなく、結合して１本の円筒形になっているので、持ち運びが手軽である。また水量も、タンク容量が、カップ１杯分よりやや多い、量で、適量の水ですむことができる。【選択図】図１
2011072764.tif 000002
【特許請求の範囲】
【請求項１】
タンク内開口と水タンクと、当該水タンクに入れた水を加熱する加熱部材と、カップ開口と水蒸気抜き孔とを有するカップと、上向きの当該タンク開口と下向の当該カップ開口とを水密結合する結合体と、当該結合体の当該水タンク側に位置するタンク側コーヒーフィルターと、を含めて構成され、当該水タンク内の水を沸騰させた後に、当該水タンクと当該カップを倒置することにより沸騰した水が当該カップ側フィルターと当該タンク側のフィルターとの間に入れたコーヒー粉を、抜けて当該カップ内に、落下するように構成されている。
ことを特徴とする、携帯用コーヒーメーカー
【請求項２】
前記カップ側コーヒーフィルターが、前記カップに取付けられたドリッパーに、輪体フィルター押によりセットされている
ことを特徴とする請求項記載の携帯用コーヒーメーカー
【請求項３】
前記カップ側コーヒーフィルターと、前記水タンク側コーヒーフィルターをドリッパー内部で、狭み込み、固定するための、輪体フィルター押へが、セットされている
ことを特徴とし、請求項２に記載の携帯用コーヒーメーカー
【発明の詳細な説明】
【技術分野】
【０００１】  本発明は、場所を選ばず、手軽にコーヒーが出来ることを、図った。
携帯用コーヒーメーカー
【背景技術】
【０００２】  従来の、簡易コーヒーメーカーには、電動ミルを備へたものが有る。粉細室をドリッパーと共用し、豆を粉細室で粉細し、上部に有る駆動体を撤去し、粉細室兼ドリッパーをカップの上に乗せ、湯をそそぐというものが有る。（例えば、特許文献１参照）【０００３】  以下図−７〜図−９による従来の簡易コーヒーメーカーについて説明する。図−７において、上部体９は、駆動機構を有し、下部体１０の底部まで軸１２を伸ばし、先端部カッター１４により、豆を粉細後、上部体９を撤去して輪体２２と下部体１０の間に、フィルター１４を狭み込み、カップ２０の上に配置し、別器具で、沸騰させた湯をそそぐ、【０００４】  フィルター１９は、家庭用キッチンペーパーなどを利用して、下部体１０の外部底面と輪体２２の間に狭み込み使用する。
【先行技術文献】
【特許文献】
【０００５】
【特許文献】特開平１０−９９２０６公報
【発明の概要】
【発明が解決しようとする課題】
【０００６】  以上に述べた従来の簡易コーヒーメーカーは、別器具で湯を沸かし湯量も適量ではなくフィルターも、ドリッパー外部底に合せ切断加工し、又携帯には不都合であった。【０００７】  本発明は、このような従来の構成が有していた問題を解決しようとするものであり、水タンクに内蔵した、加熱部材により適量の水を沸騰させ湯に変へる事を効果的に達成し、また、水タンク側フィルターは、コーヒー粉の水タンク部への落下防止と、コーヒーの味を良くするため蒸すという効果を発揮する。適量の湯を沸かし、携帯性の良い、コーヒーメーカーを実現することを目的とするものである。
【課題を解決するための手段】
【０００８】  そして、本発明は上記目的を達成するために、タンク開口とを、有する水タンクと、当該水タンクに入れた水を加熱する加熱部材と、カップ開口と水蒸気抜き孔を有するカップと、上向きの当該タンク開口と下向きの当該カップ開口とを水密結合する結合体と当該結合体の当該カップ側に位置するタンク側コーヒーフィルターと、当該結合体の当該水タンク側に位置するタンク側コーヒーフィルターとを含めて構成され、当該水タンク内の水を沸騰させた後に当該水タンクと当該カップとを倒置することにより沸騰した水が当該カップ側フィルターと、当該タンク側フィルターとの間に入れたコーヒー粉を抜けて、当該カップ内に落下するように構成されている。
ことを特徴とする、携帯用コーヒーメーカー。
また、第２の課題解決手段は、前記カップ側コーヒーフィルターが前記カップに取り付けられたドリッパー内部に輪体フィルター押へによりセットされている。
また、第３の課題解決手段は、前記カップコーヒーフィルターと前記水タンク側コーヒーフィルターをドリッパー内部で、狭み込み固定するための、輪体フィルター押す配置する構成としたものである【０００９】  上記第１の課題解決手段による作用は、次の通りである。すなわち、適量の水を、沸騰させる事で蒸気圧力が発生し、蒸気は上方へ上昇し水タンク側フィルターの上に有る、コーヒー粉を蒸し上昇しカップを温めて、蒸気圧力排出用孔から外部へ排出される。その後、倒置させると、水タンク内圧力が高まり湯が落下して、水タンク側フィルターを通してカップ側フィルターで、コーヒー液を抽出し、カップに落下する。【００１０】また、第２の課題解決手段による作用は、次の通りである。すなわちドリッパーに、カップ側フィルターを配置し、コーヒー粉を入れて、水タンク側フィルターを円錐状を上方に向けて配置後、輪体フィルター押えで狭み込むことにより、固定され、水タンク開口上部に結合する時水タンク側フィルターが、下方になるので、コーヒー粉の落下防止になり、又水が沸騰することにより水蒸気によりコーヒー粉を蒸すという効果も有る。水が沸騰した後、倒置して湯が落下して、カップ側フィルターで、コーヒーを抽出する【００１１】  また、第３の課題解決手段による作用は、ドリッパー内部に、輪体
2011072764.tif 000003
あいている孔は、倒置時に湯の排出時間を調整するという効果を発揮する
【発明の効果】
【００１２】  上述したように本発明の携帯用コーヒーメーカーは、水タンク内の加熱部材により、水を沸騰させる事が出き、水の量もカップ一杯分の水量で済み水の無駄も無いコーヒーメーカーを提供できる。【００１３】  また、水タンク側フィルター内部に有るコーヒー粉を、水蒸気により蒸すことができより、よい携帯用コーヒーメーカを提供できる。
【図面の簡単な説明】
【００１４】
【図１】本発明の実施形態を示す携帯用コーヒーメーカ縦断面図
【図２】同携帯用コーヒーメーカー倒置図（台座分離）縦断面図
【図３】同水タンク側フィルター平面図
【図４】同水タンク側フィルター側面図  カップ側フィルター側面図
【図５】同輪体フィルター押え平面図
【図６】同輪体フィルター押え分部断面図
【図７】従来の実施形態を示す簡易コーヒーメーカー縦断面図
【図８】同簡易コーヒーメーカードリッパー兼粉細室とカップ断面図
【図９】同輪体外観図
【発明を実施するための形態】
【００１５】  以下本発明の実施の形態を図１〜図６に基づいて説明する。
【００１６】  携帯用コーヒーメーカを配置する、台座１，で、２の電気コードにより、電気を受け３のスイッチにより、ＯＮの場合４のソケットにより、５の水タンクの加熱部材６に通電し水が加熱され沸騰する
【００１７】５は水タンクであり適量の水を入れ６の加熱部材により加熱し７の金属板に熱が伝わり水が沸騰する
【００１８】  ドリッパー１０は内部にカップ側フィルタ１５の斜部に合わせ、底板に勾配つき先端部に、抽出用の孔１２が有り、内部側面には、フィルター受１１が、突起している。外部側面には、水タンク５と結合するためのネジ８カップ１８と結合するためのストッパー器具１３が有り、倒置する時１４取手を取り付ている。２０は水蒸気圧力を外部に排出する孔である。
【００１９】  １０ドリッパ内部に１５カップ側フィルターを配置後、コーヒー粉を入れ、１６水タンク側フィルターを乗せ、９の輪体フィルター押えを内部に挿入狭込み固定する。また輪体フィルター９の中央の孔１７は、湯の落下する孔である。
【００２０】  １８はカップで、外部側面の段差１９に、ストッパー１３の先端を引っ掛てカップ１８と、ドリッパを結合する．また２１は倒置時に台座１のソケット４を利用した転倒防止用孔である。
【００２１】    以下上記構成の動作を説明する
水タンク５に水を入れ加熱部材により水を沸騰させると水蒸気が発生し、水タンク５、開口部より、９輪体フィルター押へ、１７中央孔を通り水タンク側フィルター１６の、コーヒー粉を蒸し、カップ側フィルター
2011072764.tif 000004
を、蒸気により温めて、蒸気圧力排出用孔２０から、外部へ排出される。
【００２２】    スウィッチ３が、ＯＦＦになった時に、取手１４を持って、上方にあるカップ１８を下の方向に向け、静かに逆転させ、カップ１８底部に有る、転倒防止用凹孔２１を、台座４のソケット４に挿入するように倒置する
【００２３】  倒置した、携帯用コーヒーメーカーは、水タンク５開口部が下向になっているので、蒸気圧力を排出する事が出来ず、内部で圧力が高まり蒸気圧力により、湯が輪体中央孔より押出され落下、水タンク側フィルタ１６にあるコーヒー粉と共に、カップ側フィルター１５に落下し、カップ側フィルター１５で濾過されて、カップ１８に、コーヒーが満される。
ストッパー金具１３を解除して、結合体とカップ１８を分離する。
以上のように、本実施形態により、コーヒーが出来るという効果を発揮する。
【符号の説明】
【００２４】１  台座
２  電気コード
３  スウィッチ
４  ソケット
５  水タンク
６  加熱部材
７  金属板
８  結合用ネジ
９  輪体フィルター押へ
１０  ドリッパー
１１  フィルター受
１２  コーヒー抽出用孔
１３  ストッパー金具
１４  取手
１５  カップ側フィルター
１６  水タンク側フィルター
１７  輪体中央孔
１８  カップ
１９  結合用カップ段差
２０  蒸気圧力排出孔
２１  転倒防止用凹
【図１】
2011072764.tif 000005
【図２】
2011072764.tif 000006
【図３】
2011072764.tif 000007
【図４】
2011072764.tif 000008
【図５】
2011072764.tif 000009
【図６】
2011072764.tif 000010
【図７】
2011072764.tif 000011
【図８】
2011072764.tif 000012
【図９】
2011072764.tif 000013